(57)【要約】      （修正有）【課題】第三者がフィルム体に対して意図的な改竄を行った否かを容易に把握することができる容器及び注出具を提供する。【解決手段】容器及び注出具は、開口部を封止する封止体６と、封止体を外側から覆うフィルム体７と、を備え、フィルム体は、開口部及び封止体の少なくとも一方に固定される環状のフィルム固定部７１と、フィルム固定部の内側に配置され、気体が封止体との間に存在することで膨らんでいる凸状部７２と、を備える。【選択図】図５
2018153416.tif 000002
【特許請求の範囲】
【請求項１】
開口部を有する容器本体と、
前記開口部を封緘する封緘体と、を備え、
前記封緘体は、前記開口部を封止する封止体と、前記封止体を外側から覆うフィルム体と、を備え、
前記フィルム体は、開口部及び封止体の少なくとも一方に固定される環状のフィルム固定部と、前記フィルム固定部の内側に配置され、気体が前記封止体との間に存在することで膨らんでいる凸状部と、を備える、容器。
【請求項２】
前記封止体は、フィルム状に形成されると共に、前記開口部を外側から覆い、
前記封止体は、前記開口部に固定される環状の封止固定部を備え、
前記フィルム固定部の内縁の位置は、前記封止固定部の内縁の位置と同じ、又は、該内縁の位置より外側である、請求項１に記載の容器。
【請求項３】
内容物を収容する収容部に固定される注出具であって、
開口部を有する注出部と、
前記開口部を封緘する封緘体と、を備え、
前記封緘体は、前記開口部を封止する封止体と、前記封止体を外側から覆うフィルム体と、を備え、
前記フィルム体は、開口部及び封止体の少なくとも一方に固定される環状のフィルム固定部と、前記フィルム固定部の内側に配置され、気体が前記封止体との間に存在することで膨らんでいる凸状部と、を備える、注出具。
【請求項４】
開口部に固定されることで前記開口部を封緘する封緘体を形成する封緘材であって、
前記封緘体は、前記開口部を外側から覆い前記開口部を封止するフィルム状の封止体と、前記封止体を外側から覆うフィルム体と、を備え、
前記封止体は、前記開口部に固定される環状の封止固定部を備え、
前記フィルム体は、前記封止体に固定される環状のフィルム固定部と、前記フィルム固定部の内側に配置され、気体が前記封止体との間に存在することで膨らんでいる凸状部と、を備え、
前記封緘材は、前記封止体を構成する第１フィルムと、前記フィルム体を構成する第２フィルムと、を備え、
前記第１及び第２フィルムは、互いの間に気体が存在するように、互いに固定される環状のシート固定部を備える、封緘材。
【発明の詳細な説明】
【技術分野】
【０００１】
本発明は、開口部を有する容器本体を備える容器に関する。また、本発明は、内容物を収容する収容部に固定される注出具に関する。さらに、本発明は、開口部に固定されることで封緘体を形成する封緘材に関する。
【背景技術】
【０００２】
従来、容器として、開口部を有する容器本体と、開口部の内部に嵌め込められる栓体と、栓体を外側から覆うフィルム体とを備える容器が、知られている（例えば、特許文献１）。また、別な容器として、開口部を有する容器本体と、開口部を外側から覆うフィルム体とを備える容器が、知られている（例えば、特許文献２）。
【０００３】
これらの容器においては、フィルム体が開口部に固定されていることを視認することで、容器の内部が外部に開通されていない（容器の内部の密閉状態が維持されている）ことを把握できるようになっている。しかしながら、例えば、第三者がフィルム体に対して意図的な改竄をする場合がある。
【０００４】
そして、斯かる場合に、フィルム体に非常に小さい孔等（例えば、針で刺された孔等）が存在等した場合には、該孔等を視認することが難しい。しかも、該孔等により、容器の内部と外部が開通された場合には、該孔等を視認することが難しいだけでなく、容器の内部が外部に開通された事実を把握することも難しい。
【先行技術文献】
【特許文献】
【０００５】
【特許文献１】特開平１１−１２８３１７号公報
【特許文献２】特開２０００−６９９９号公報
【発明の概要】
【発明が解決しようとする課題】
【０００６】
そこで、第１の課題は、第三者がフィルム体に対して意図的な改竄を行った虞があるか否かを容易に把握することができる容器及び注出具を提供することである。
【０００７】
また、第２の課題は、第三者がフィルム体に対して意図的な改竄を行った虞があるか否かを容易に把握可能な封緘体を形成することができる封緘材を提供することである。
【課題を解決するための手段】
【０００８】
容器は、開口部を有する容器本体と、前記開口部を封緘する封緘体と、を備え、前記封緘体は、前記開口部を封止する封止体と、前記封止体を外側から覆うフィルム体と、を備え、前記フィルム体は、前記開口部及び前記封止体の少なくとも一方に固定される環状のフィルム固定部と、前記フィルム固定部の内側に配置され、気体が前記封止体との間に存在することで膨らんでいる凸状部と、を備える。
【０００９】
また、容器においては、前記封止体は、フィルム状に形成されると共に、前記開口部を外側から覆い、前記封止体は、前記開口部に固定される環状の封止固定部を備え、前記フィルム固定部の内縁の位置は、前記封止固定部の内縁の位置と同じ、又は、該内縁の位置より外側である、という構成でもよい。
【００１０】
また、注出具は、内容物を収容する収容部に固定される注出具であって、開口部を有する注出部と、前記開口部を封緘する封緘体と、を備え、前記封緘体は、前記開口部を封止する封止体と、前記封止体を外側から覆うフィルム体と、を備え、前記フィルム体は、前記開口部及び前記封止体の少なくとも一方に固定される環状のフィルム固定部と、前記フィルム固定部の内側に配置され、気体が前記封止体との間に存在することで膨らんでいる凸状部と、を備える。
【００１１】
また、封緘材は、開口部に固定されることで前記開口部を封緘する封緘体を形成する封緘材であって、前記封緘体は、前記開口部を外側から覆い前記開口部を封止するフィルム状の封止体と、前記封止体を外側から覆うフィルム体と、を備え、前記封止体は、前記開口部に固定される環状の封止固定部を備え、前記フィルム体は、前記封止体に固定される環状のフィルム固定部と、前記フィルム固定部の内側に配置され、気体が前記封止体との間に存在することで膨らんでいる凸状部と、を備え、前記封緘材は、前記封止体を構成する第１フィルムと、前記フィルム体を構成する第２フィルムと、を備え、前記第１及び第２フィルムは、互いの間に気体が存在するように、互いに固定される環状のシート固定部を備える。
【図面の簡単な説明】
【００１２】
【図１】図１は、一実施形態に係る容器の全体正面図である。
【図２】図２は、同実施形態に係る注出具の全体斜視図である。
【図３】図３は、同実施形態に係る注出具の要部分解斜視図である。
【図４】図４は、同実施形態に係る容器の要部平面図である。
【図５】図５は、図４のＶ−Ｖ線の拡大断面図である。
【図６】図６は、同実施形態に係る封緘材の要部斜視図である。
【図７】図７は、同実施形態に係る容器の製造方法を説明する要部縦断面図である。
【図８】図８は、同実施形態に係る容器の製造方法を説明する要部縦断面図である。
【図９】図９は、同実施形態に係る容器の製造方法を説明する要部縦断面図である。
【図１０】図１０は、他の実施形態に係る容器の要部縦断面図である。
【図１１】図１１は、さらに他の実施形態に係る容器の要部縦断面図である。
【図１２】図１２は、さらに他の実施形態に係る容器の要部縦断面図である。
【図１３】図１３は、さらに他の実施形態に係る容器の要部縦断面図である。
【図１４】図１４は、さらに他の実施形態に係る容器の要部縦断面図である。
【図１５】図１５は、さらに他の実施形態に係る容器の要部分解斜視図である。
【図１６】図１６は、さらに他の実施形態に係る容器の要部縦断面図である。
【図１７】図１７は、さらに他の実施形態に係る容器の要部分解斜視図である。
【図１８】図１８は、同実施形態に係る容器の作用効果を説明する要部斜視図である。
【図１９】図１９は、同実施形態に係る容器の作用効果を説明する要部斜視図である。
【図２０】図２０は、さらに他の実施形態に係る封緘材の要部斜視図である。
【図２１】図２１は、さらに他の実施形態に係る封緘材の要部斜視図である。
【図２２】図２２は、さらに実施形態に係る容器の製造方法を説明する要部縦断面図である。
【図２３】図２３は、同実施形態に係る容器の製造方法を説明する要部縦断面図である。
【図２４】図２４は、さらに実施形態に係る容器の製造方法を説明する要部縦断面図である。
【図２５】図２５は、同実施形態に係る容器の製造方法を説明する要部縦断面図である。
【発明を実施するための形態】
【００１３】
以下、容器における一実施形態について、図１〜図９を参照しながら説明する。なお、各図（図１０〜図２５も同様）において、図面の寸法比と実際の寸法比とは、必ずしも一致しておらず、また、各図面の間での寸法比も、必ずしも一致していない。
【００１４】
図１に示すように、本実施形態に係る容器１は、開口部３１を有する容器本体２と、開口部３１を封止する封止構造４とを備えている。そして、容器本体２は、例えば液体である内容物１０を収容する収容部２ａと、開口部３１を有し、収容部２ａに固定される筒状の注出部３とを備えている。
【００１５】
収容部２ａは、袋状に形成されている。所謂、収容部２ａは、パウチ容器である。そして、本実施形態においては、注出部３は、収容部２ａと別部材であって、例えば溶着や接着により、収容部２ａの上端部に固定されている。
【００１６】
図２及び図３に示すように、注出部３を有する注出本体部１１ａと、注出部３の開口部３１を封止する封止構造４とを備える部品は、注出具１１という。そして、注出本体部１１ａは、収容部２ａに固定されるベース部１１ｂと、注出部３とベース部１１ｂとの間に配置されるフランジ部１１ｃとを備えている。
【００１７】
図３〜図５に示すように、封止構造４は、開口部３１の内部に嵌め込められる栓体５と、栓体５を外側から覆い、開口部３１を封緘する封緘体４ａとを備えている。そして、封緘体４ａは、開口部３１を外側から覆い且つ開口部３１を封止するフィルム状の封止体（「第１フィルム体」ともいう）６と、封止体６を外側から覆うフィルム体（「第２フィルム体」ともいう）７とを備えている。本実施形態においては、栓体５も、開口部３１を封止している。
【００１８】
注出部３は、栓体５を固定するために径方向内方に向けて突出する突起部３２を備えている。なお、注出部３と栓体５とは、互いの間に介在される接着剤等により、固定されていてもよい。また、開口部３１の端面（以下、「開口端面」ともいう）３１ａは、平坦状に形成されると共に、円環状に形成されている。これにより、開口端面３１ａの内縁３１ｂ及び外縁３１ｃは、それぞれ円環状に形成されている。
【００１９】
栓体５は、弾性を有している。例えば、栓体５は、ゴム等の弾性体で形成されている。また、栓体５は、円柱状に形成されている。そして、栓体５の外側平面５１は、開口部３１の開口端面３１ａと面一になっている。なお、栓体５と封止体６との間に気体（例えば、空気）が存在する（封入される）ように、栓体５の外側平面５１と開口部３１の開口端面３１ａとの間に、段差が形成されていてもよい。
【００２０】
封止体６は、開口部３１に固定される環状の封止固定部６１と、封止固定部６１の内側に配置される内側部６２とを備えている。また、封止体６は、封止固定部６１から径方向の外側に突出する突出片６３を備えている。
【００２１】
フィルム体７は、封止体６に固定される環状のフィルム固定部７１と、フィルム固定部７１の内側に配置され、気体（例えば、空気）が封止体６との間に存在する（封入される）ことで膨らんでいる凸状部７２とを備えている。また、フィルム体７は、フィルム固定部７１から径方向の外側に突出する突出片７３を備えている。
【００２２】
なお、図３〜図５（図９〜図１２及び図１４〜図１６も同様）において、封止固定部６１の内縁６１ａは、破線で図示されており、同様に、図３〜図５（図９〜図１６も同様）において、フィルム固定部７１の内縁７１ａは、破線で図示されている。また、断面を示す図５（図９〜図１２及び図１４〜図１４も同様）において、封止固定部６１は、網掛けのハッチングで図示されており、同様に、断面を示す図５（図９〜図１６も同様）において、フィルム固定部７１は、網掛けのハッチングで図示されている。
【００２３】
そして、封止体６においては、封止固定部６１は、開口部３１の開口端面３１ａに固定されており、内側部６２及び突出片６３は、開口部３１に固定されていない。これにより、封止固定部６１の内縁６１ａ及び外縁６１ｂは、それぞれ円環状である。
【００２４】
また、フィルム体７においては、フィルム固定部７１は、封止固定部６１に固定されており、フィルム体７の突出片７３は、封止体６の突出片６３に固定されており、凸状部７２は、封止体６に固定されていない。これにより、フィルム固定部７１の内縁７１ａ及び外縁７１ｂは、それぞれ円環状である。
【００２５】
したがって、図４及び図５に示すように、封止固定部６１の内縁６１ａの位置は、注出部３の軸方向視において、開口端面３１ａの内縁３１ｂと同じ位置である。また、フィルム固定部７１の内縁７１ａの位置は、注出部３の軸方向視において、封止固定部６１の内縁６１ａの位置と同じである。即ち、開口端面３１ａ、封止固定部６１、及びフィルム固定部７１のそれぞれの内縁３１ｂ，６１ａ，７１ａの位置は、注出部３の軸方向視において、同じである。
【００２６】
また、封止固定部６１の外縁６１ｂの位置は、注出部３の軸方向視において、開口端面３１ａの外縁３１ｃと同じ位置である。また、フィルム固定部７１の外縁７１ｂの位置は、注出部３の軸方向視において、封止固定部６１の外縁６１ｂの位置と同じである。即ち、開口端面３１ａ、封止固定部６１、及びフィルム固定部７１のそれぞれの外縁３１ｃ，６１ｂ，７１ｂの位置も、注出部３の軸方向視において、同じである。
【００２７】
なお、「（内縁、外縁の）位置が同じ」とは、完全に一致している場合だけでなく、ずれ量が２ｍｍ以内である場合、好ましくは、ずれ量が１ｍｍ以内である場合、より好ましくは、ずれ量が０．５ｍｍ以内である場合を含む。また、注出部３の軸方向は、封止体６とフィルム体７とが重なる方向と平行である。具体的には、注出部３の軸方向は、封止固定部６１とフィルム固定部７１とが重なる方向と平行である。
【００２８】
ところで、収容部２ａは、形成される材料を特に限定しないが、例えば、熱溶着性（ヒートシール性）を有する樹脂フィルムで形成されることが好ましい。そして、樹脂フィルムとしては、ベースフィルム層（単層であっても複層であってもよい）と、熱溶着性を付与するシーラント層とを有する複層シートが好適である。さらに、ベースフィルム層とシーラント層との間、若しくはベースフィルム層が複層の場合にはその間に、遮光性やガスバリア性を付与するバリア層を設けた複層シートがより好適である。
【００２９】
ここで、ベースフィルム層、シーラント層、及びバリア層の構成材料を例示する。なお、これら各層の積層は、慣用のラミネート法、例えば、接着剤によるドライラミネーション、熱接着性層を挟んで熱により接着させる熱ラミネーション等により行うことができる。
【００３０】
ベースフィルム層を構成するフィルムとしては、ポリエステル（ポリエチレンテレフタレート、ポリエチレンナフタレ−ト、ポリブチレンテレフタレート、ポリカーボネート等）、ポリオレフィン（ポリエチレン、ポリプロピレン等）、ポリアミド（ナイロン−６、ナイロン−６６等）、ポリアクリロニトリル、ポリイミド、ポリ塩化ビニル、ポリ塩化ビニリデン、ポリメチルメタクリレート、及びポリエーテルスルフォン等から構成される一層又は二層以上の延伸又未延伸フィルムが例示できる。
【００３１】
シーラント層を構成するフィルムとしては、低密度ポリエチレン、直鎖状低密度ポリエチレン、エチレン−プロピレン共重合体、未延伸ポリプロピレン、二軸延伸ナイロン、エチレン−オレフィン共重合体、エチレン−アクリル酸共重合体、エチレン−メタクリル酸共重合体、及びエチレン−酢酸ビニル共重合体等から構成される一層又は二層以上の延伸又未延伸フィルムが例示できる。
【００３２】
バリア層としては、アルミニウム等の金属薄膜、又は塩化ビニリデン、エチレン−ビニルアルコール共重合体等の樹脂フィルム、或いは任意の合成樹脂フィルム（例えば、ベースフィルム層であってもよい）に、アルミニウム、酸化アルミニウムやシリカ等の無機酸化物等を蒸着（又はスパッタリング）したフィルムが例示できる。
【００３３】
また、封止体６は、開口部３１を封止し、フィルム体７と協働してフィルム体７との間に気体を封入できる（即ち、フィルム体７との間から気体が漏れない）材料で形成されていれば、特に限定されないが、例えば、封止固定部６１が熱溶着により開口部３１に固定されるように、封止体６は、熱溶着性を有する樹脂フィルムで形成されていることが好ましい。
【００３４】
そして、樹脂フィルムとしては、ベースフィルム層（単層であっても複層であってもよい）と、熱溶着性を付与するシーラント層とを有する複層シートが好適である。さらに、ベースフィルム層とシーラント層との間、若しくはベースフィルム層が複層の場合にはその間に、遮光性やガスバリア性を付与するバリア層を設けた複層シートがより好適である。例えば、ベースフィルム層、シーラント層、及びバリア層は、上述したフィルムを採用することができる。
【００３５】
また、熱溶着性を有する封止体６においては、開口部３１の開口端面３１ａと、フィルム体７のフィルム固定部７１との、両方に熱溶着される必要がある。したがって、封止体６は、両面に熱溶着性（表裏面が共にシーラント層）を有することが好ましい。
【００３６】
なお、封止固定部６１が、例えば接着剤や超音波による接着により、開口部３１に固定されてもよいため、封止体６は、熱溶着性の樹脂フィルムに限られない。例えば、封止体６は、非熱溶着性のフィルム、紙、合成紙、不織布等で形成されていてもよい。また、後述するように（図１３参照）、封止体６は、開口部３１の内部に嵌め込められる、という構成でもよいため、栓体５と同じ構成、即ち、ゴム等の弾性体で形成されていてもよい。
【００３７】
また、フィルム体７は、封止体６と協働して封止体６との間に気体を封入できる（即ち、封止体６との間から気体が漏れない）材料で形成されていれば、特に限定されないが、例えば、フィルム固定部７１が熱溶着により封止体６に固定されるように、フィルム体７は、熱溶着性（ヒートシール性）を有する樹脂フィルムで形成されていることが好ましい。
【００３８】
そして、樹脂フィルムとしては、ベースフィルム層（単層であっても複層であってもよい）と、熱溶着性を付与するシーラント層とを有する複層シートが好適である。さらに、ベースフィルム層とシーラント層との間、若しくはベースフィルム層が複層の場合にはその間に、遮光性やガスバリア性を付与するバリア層を設けた複層シートがより好適である。例えば、ベースフィルム層、シーラント層、及びバリア層は、上述したフィルムを採用することができる。
【００３９】
なお、フィルム固定部７１が、例えば接着剤や超音波による接着により、封止体６に固定されてもよいため、フィルム体７は、熱溶着性の樹脂フィルムに限られない。例えば、フィルム体７は、非熱溶着性のフィルム、合成紙等で形成されていてもよい。また、フィルム体７は、熱収縮性フィルムであってもよい。
【００４０】
次に、本実施形態に係る容器１の作用効果について説明する。
【００４１】
本実施形態に係る容器１においては、通常、突出片６３，７３が摘ままれて、封止体６及びフィルム体７が開口部３１から外された後、管の先端に固定された針が栓体５に差し込まれる。これにより、容器１の内部の内容物１０が、針及び管を経由して、容器１の外部に注出される。
【００４２】
そして、封止体６及びフィルム７が開口部３１から外されておらず、容器１の内部が外部に開通されていない場合においては、凸状部７２の内部に気体が存在しているため、凸状部７２を指で押すと、指に凸状部７２からの反発力が感じられる。これにより、凸状部７２に孔が存在しないため、第三者がフィルム体７に対して意図的な改竄を行った虞がないことを把握できる。その結果として、容器１の内部が外部に開通されていないことが把握できる。
【００４３】
ところで、第三者がフィルム体７に対して意図的な改竄を行った場合だけでなく、例えば、封止体６及びフィルム体７が開口部３１から外されることなく、誤って、針が栓体５に差し込まれ、その後、誤りに気付いて、針が栓体５から引き抜かれる場合も考えられる。このとき、容器１の内部が外部に開通されたため、斯かる事実が起きたことを第三者でも把握できる必要がある。
【００４４】
そこで、本実施形態に係る容器１においては、開口端面３１ａ、封止固定部６１、及びフィルム固定部７１のそれぞれの内縁３１ｂ，６１ａ，７１ａの位置は、同じとなっている。これにより、斯かる事実が起きた場合には、フィルム体７の凸状部７２と封止体６の内側部６２にそれぞれ孔が存在することになる。
【００４５】
したがって、凸状部７２を指で押すと、封止体６とフィルム体７との間に存在していた気体が、凸状部７２に存在する孔から抜けることになる。これにより、凸状部７２が萎んで封止体６の内側部６２に接触してしまうため、指に凸状部７２からの反発力が感じられない。
【００４６】
このように、例えば、視認し難い小さい孔が凸状部７２に存在している場合でも、凸状部７２を押すことで、凸状部７２に孔が存在しているか否かを、容易に把握することができる。これにより、第三者がフィルム体７に対して意図的な改竄を行った虞があるか否かを容易に把握することができる。
【００４７】
その結果として、凸状部７２を押すことで、容器１の内部が外部に開通されているか否かを、容易に把握することができる。なお、容器１の搬送中にフィルム体７が損傷して、凸状部７２に孔ができた場合でも、該事実を容易に把握することができる。
【００４８】
次に、本実施形態に係る容器１（注出具１１）の製造に使用する封緘材１２について、図６及び図７を参照しながら説明する。
【００４９】
封緘材１２は、第１フィルム１３と第２フィルム１４とを備えている。そして、第１及び第２フィルム１３，１４は、互いの間に気体（例えば、空気）が存在するように、互いに固定される環状のシート固定部１３ａ，１４ａを備えている。そして、シート固定部１３ａ，１４ａの内縁１３ｂ，１４ｂの大きさは、開口端面３１ａの内縁３１ｂの大きさよりも、大きくなっている。
【００５０】
なお、シート固定部１３ａ，１４ａは、第１及び第２フィルム１３，１４同士が熱溶着されることで、形成されている。図６及び図７（図８、図２０、及び図２１も同様）において、シート固定部１３ａ，１４ａの内縁１３ｂ，１４ｂは、破線で図示されており、断面を示す図７（図８も同様）において、シート固定部１３ａ，１４ａは、網掛けのハッチングで図示されている。
【００５１】
また、第１及び第２フィルム１３，１４は、環状のシート固定部１３ａ，１４ａの内側に、気体を収容する気体収容部１３ｃ，１４ｃを備えている。そして、封緘材１２は、帯状に形成さており、シート固定部１３ａ，１４ａ及び気体収容部１３ｃ，１４ｃは、それぞれ長手方向に沿って複数並列されている。
【００５２】
なお、後述するが、封緘材１２は、開口部３１に固定されることで封緘体４ａを形成する。具体的には、第１フィルム１３は、封止体６を構成し、第２フィルム１４は、フィルム体７を構成する。したがって、封緘材１２（第１及び第２フィルム１３，１４）は、上述した封止体６及びフィルム体７と同じ材料（例えば、熱溶着性を有する樹脂フィルム）で形成されている。
【００５３】
次に、本実施形態に係る容器１（注出具１１）の製造方法について、図７〜図９を参照しながら説明する。
【００５４】
図７に示すように、封緘材１２は、注出部３の開口部３１とシール装置２０との間に配置されている。なお、シール装置２０の先端部は、筒状に形成されている。そして、シール装置２０は、封緘材１２を加熱する加熱面２０ａを備えており、加熱面２０ａは、開口部３１の開口端面３１ａと同じ形状、具体的には、円環状に形成されている。
【００５５】
そして、加熱面２０ａが封緘材１２及び開口端面３１ａに近づくことで、図８に示すように、封緘材１２が加熱面２０ａと開口端面３１ａとに挟まれる。そして、加熱面２０ａは、封緘材１２を加熱する。このとき、シート固定部１３ａ，１４ａの内縁１３ｂ，１４ｂの大きさが、開口端面３１ａの内縁３１ｂの大きさよりも大きいため、第１及び第２フィルム１３，１４の気体収容部１３ｃ，１４ｃの部分が、加熱面２０ａと開口端面３１ａとに挟まれる。そして、該部分が、加熱面２０ａに加熱されている。
【００５６】
これにより、第１及び第２フィルム１３，１４間に存在している気体が中央に集まるため、第２フィルム１４は、大きく凸状に膨らむ。そして、加熱面２０ａが封緘材１２を加熱することで、第１フィルム１３の加熱された部分は、開口端面３１ａに熱溶着され、第２フィルム１４の加熱された部分は、第１フィルム１３に熱溶着される。その後、加熱面２０ａが封緘材１２及び開口端面３１ａから離れ、さらに、封緘材１２が必要に応じて切断されることで、図９に示すように、容器１（注出具１１）が完成する。
【００５７】
なお、第１フィルム１３は、封止体６を構成し、第２フィルム１４は、フィルム体７を構成している。また、第１フィルム１３の加熱された部分は、封止固定部６１を構成し、第２フィルム１４の加熱された部分は、フィルム固定部７１を構成している。このように、大きく膨らんだ凸状部７２を形成することができるため、斯かる凸状部７２に孔が存在しているか否かを非常に容易に把握することができる。
【００５８】
また、開口端面３１ａ、封止固定部６１、及びフィルム固定部７１のそれぞれの内縁３１ｂ，６１ａ，７１ａの位置は、同じとなっている。なお、シート固定部１３ａ，１４ａの内縁１３ｂ，１４ｂの大きさが、開口端面３１ａの内縁３１ｂの大きさよりも大きいため、開口部３１に対して封緘材１２の位置を精密に合わせることもなく、それぞれの内縁３１ｂ，６１ａ，７１ａの位置を同じにすることができる。
【００５９】
以上より、本実施形態に係る容器１は、開口部３１を有する容器本体２と、前記開口部３１を封緘する封緘体４ａと、を備え、前記封緘体４ａは、前記開口部３１を封止する封止体６と、前記封止体６を外側から覆うフィルム体７と、を備え、前記フィルム体７は、前記開口部３１及び前記封止体６の少なくとも一方（本実施形態においては、封止体６）に固定される環状のフィルム固定部７１と、前記フィルム固定部７１の内側に配置され、気体が前記封止体６との間に存在することで膨らんでいる凸状部７２と、を備える。
【００６０】
また、本実施形態に係る注出具１１は、内容物１０を収容する収容部２ａに固定される注出具１１であって、開口部３１を有する注出部３と、前記開口部３１を封緘する封緘体４ａと、を備え、前記封緘体４ａは、前記開口部３１を封止する封止体６と、前記封止体６を外側から覆うフィルム体７と、を備え、前記フィルム体７は、前記開口部３１及び前記封止体６の少なくとも一方（本実施形態においては、封止体６）に固定される環状のフィルム固定部７１と、前記フィルム固定部７１の内側に配置され、気体が前記封止体６との間に存在することで膨らんでいる凸状部７２と、を備える。
【００６１】
斯かる構成の容器１及び注出具１１によれば、封止体６は、開口部３１を封止しており、フィルム体７は、封止体６を外側から覆い、環状のフィルム固定部７１で、開口部３１及び封止体６の少なくとも一方（本実施形態においては、封止体６）に固定されている。そして、フィルム固定部７１の内側に配置される凸状部７２は、気体がフィルム体７と封止体６との間に存在することで、膨らんでいる。
【００６２】
これにより、凸状部７２に孔が存在しない場合には、凸状部７２を押すことで、凸状部７２から反発力が感じられる。それに対して、凸状部７２に孔が存在している場合には、凸状部７２を押すことで、凸状部７２が萎んで封止体６に接触し、凸状部７２から反発力が感じられない。このように、凸状部７２を押すことによる触覚により、凸状部７２の孔の有無を容易に把握することができる。その結果として、第三者がフィルム体７に対して意図的な改竄を行ったか否かを容易に把握することができる。
【００６３】
また、本実施形態に係る容器１及び注出具１１においては、前記封止体６は、フィルム状に形成されると共に、前記開口部３１を外側から覆い、前記封止体６は、前記開口部３１に固定される環状の封止固定部６１を備え、前記フィルム固定部７１の内縁７１ａの位置は、前記封止固定部６１の内縁６１ａの位置と同じ、又は、該内縁６１ａの位置より外側（本実施形態においては、該内縁６１ａの位置と同じ）である、という構成でもよい。
【００６４】
斯かる構成の容器１及び注出具１１によれば、封止体６は、フィルム状に形成されると共に、開口部３１を外側から覆い、さらに、環状の封止固定部６１ａで、開口部３１に固定されている。そして、フィルム固定部７１の内縁７１ａの位置は、封止固定部６１の内縁６１ａの位置と同じ、又は、該内縁６１ａの位置より外側（本実施形態においては、該内縁６１ａの位置と同じ）になっている。
【００６５】
これにより、例えば、封止体６に対して、封止固定部６１よりも内側の部分（内側部６２）に孔を開けるためには、必ず、フィルム体７に対して、フィルム固定部７１よりも内側、即ち、凸状部７２に孔を開ける必要がある。したがって、例えば、凸状部７２を押すことで、凸状部７２の孔の有無を確実に把握することができ、その結果として、容器１の内部が外部に開通されているか否かを容易に把握することができる。
【００６６】
また、本実施形態に係る封緘材１２は、開口部３１に固定されることで前記開口部３１を封緘する封緘体４ａを形成する封緘材１２であって、前記封緘体４ａは、前記開口部３１を外側から覆い前記開口部３１を封止するフィルム状の封止体６と、前記封止体６を外側から覆うフィルム体７と、を備え、前記封止体６は、前記開口部３１に固定される環状の封止固定部６１を備え、前記フィルム体７は、前記封止体６に固定される環状のフィルム固定部７１と、前記フィルム固定部７１の内側に配置され、気体が前記封止体６との間に存在することで膨らんでいる凸状部７２と、を備え、前記封緘材１２は、前記封止体６を構成する第１フィルム１３と、前記フィルム体７を構成する第２フィルム１４と、を備え、前記第１及び第２フィルム１３，１４は、互いの間に気体が存在するように、互いに固定される環状のシート固定部１３ａ，１４ａを備える。
【００６７】
斯かる構成の封緘材１２によれば、第１及び第２フィルム１３，１４が環状のシート固定部１３ａ，１４ａで互いに固定されることで、第１及び第２フィルム１３，１４間に気体が存在している。そして、封緘材１２の第１フィルム１３が開口部３１に固定されることにより、封緘体４ａが形成される。
【００６８】
このとき、第１フィルム１３は、封止体６を構成し、第２フィルム１４は、フィルム体７を構成する。したがって、封緘材１２が開口部３１に固定されることで、第三者がフィルム体７に対して意図的な改竄を行ったか否かを容易に把握可能な封緘体４ａを形成することができる。
【００６９】
また、本実施形態に係る封緘材１２においては、前記シート固定部１３ａ，１４ａの内縁１３ｂ，１４ｂの大きさは、前記開口部３１の端面３１ａの内縁３１ｂの大きさと同じ、又は、該内縁３１ｂの大きさよりも大きい（本実施形態においては、該内縁３１ｂの大きさよりも大きい）、という構成である。
【００７０】
なお、容器１、注出具１１、及び封緘材１２は、上記した実施形態の構成に限定されるものではなく、また、上記した作用効果に限定されるものではない。また、容器１、注出具１１、及び封緘材１２は、本発明の要旨を逸脱しない範囲内において種々変更を加え得ることは勿論である。例えば、下記する各種の変更例に係る構成や方法等を任意に一つ又は複数選択して、上記した実施形態に係る構成や方法等に採用してもよいことは勿論である。
【００７１】
（１）上記実施形態に係る容器１においては、注出具１１は、例えば溶着や接着により、収容部２ａに固定されている、即ち、注出部３は、収容部２ａと別部材であり、例えば溶着や接着により、収容部２ａに固定されている、という構成である。しかしながら、容器１は、斯かる構成に限られない。例えば、注出部３は、収容部２ａと同じ材料で一体成形されている（例えば、ブロー成形容器等）、という構成でもよい。
【００７２】
（２）また、上記実施形態に係る容器１及び注出具１１においては、フィルム固定部７１の内縁７１ａの位置は、封止固定部６１の内縁６１ａの位置と同じである、という構成である。しかしながら、容器１及び注出具１１は、斯かる構成に限られない。
【００７３】
例えば、図１０及び図１１に示すように、フィルム固定部７１の内縁７１ａの位置は、封止固定部６１の内縁６１ａの位置より外側である、という構成でもよく、また、図１２に示すように、封止固定部６１の内縁６１ａの位置より内側である、という構成でもよい。但し、図１２に示すように、フィルム固定部７１の内縁７１ａの位置が、封止固定部６１の内縁６１ａの位置より内側である場合には、フィルム固定部７１に孔が存在することで、容器１の内部が外部に開通される場合もある。
【００７４】
したがって、フィルム固定部７１の内縁７１ａの位置は、図５に示すように、封止固定部６１の内縁６１ａの位置と同じ、又は、図１０及び図１１に示すように、該内縁６１ａの位置より外側である、という構成が好ましい。斯かる構成によれば、凸状部７２を押して、凸状部７２の孔の有無を把握することで、その結果として、容器１の内部が外部に開通されているか否かを容易に把握することができる。
【００７５】
（３）また、上記実施形態に係る容器１及び注出具１１においては、フィルム固定部７１は、封止体６に固定されている、という構成である。しかしながら、容器１及び注出具１１は、斯かる構成に限られない。
【００７６】
例えば、図１０に示すように、フィルム固定部７１は、開口部３１（具体的には、開口部３１の外周面）及び封止体６（具体的には、封止固定部６１）に固定されている、という構成でもよい。また、例えば、図１１に示すように、フィルム固定部７１は、開口部３１（具体的には、開口部３１の外周面）に固定されている、という構成でもよい。
【００７７】
（４）また、上記実施形態に係る容器１及び注出具１１においては、封止体６は、フィルム状に形成されている、という構成である。しかしながら、容器１及び注出具１１は、斯かる構成に限られない。例えば、図１３に示すように、封止体６は、柱状（具体的には、円柱状）に形成され、開口部３１の内部に嵌め込められる、という構成でもよい。即ち、封止体６は、上記実施形態に係る栓体５と同じ構成及び機能を有する、という構成でもよい。
【００７８】
図１３に係るフィルム体７のフィルム固定部７１は、開口部３１の開口端面３１ａに固定されている。そして、フィルム固定部７１の内縁７１ａの位置は、開口端面３１ａの内縁３１ｂ（封止体６の外縁）の位置と同じである。なお、図１３に係るフィルム体７は、斯かる構成に限られない。
【００７９】
例えば、フィルム固定部７１の内縁７１ａの位置は、開口端面３１ａの内縁３１ｂ（封止体６の外縁）の位置より内側である、という構成でもよく、また、開口端面３１ａの内縁３１ｂ（封止体６の外縁）の位置より外側である、という構成でもよい。但し、フィルム固定部７１の内縁７１ａの位置が、開口端面３１ａの内縁３１ｂ（封止体６の外縁）の位置より内側である場合には、フィルム固定部７１に孔が存在することで、容器１の内部が外部に開通される場合もある。
【００８０】
したがって、フィルム固定部７１の内縁７１ａの位置は、開口端面３１ａの内縁３１ｂ（封止体６の外縁）の位置と同じ、又は、開口端面３１ａの内縁３１ｂ（封止体６の外縁）よりも外側である、という構成が好ましい。斯かる構成によれば、凸状部７２を押して、凸状部７２の孔の有無を把握することで、その結果として、容器１の内部が外部に開通されているか否かを容易に把握することができる。
【００８１】
（５）また、上記実施形態に係る容器１及び注出具１１においては、封止構造４は、栓体５、封止体６、及びフィルム体７を備えている、という構成である。しかしながら、容器１及び注出具１１は、斯かる構成に限られない。例えば、図１４に示すように、封止構造４は、栓体５を備えておらず、封止体６及びフィルム体７（封緘体４ａのみ）を備えている、という構成でもよい。
【００８２】
（６）また、上記実施形態に係る容器１及び注出具１１においては、封止固定部６１は、開口部３１の端面３１ａの全体に固定されている、という構成である。しかしながら、容器１及び注出具１１は、斯かる構成に限られない。例えば、封止固定部６１は、開口部３１の端面３１ａの一部に固定されている、という構成でもよく、また、開口部３１の内周に固定されている、という構成でもよく、また、図１５に示すように、開口部３１の外周に固定されている、という構成でもよい。
【００８３】
（７）また、容器１及び注出具１１は、例えば、図１６に示すように、封止体６とフィルム体７との間に、空気に接触することで形状及び色の少なくとも一方を変化する変化手段１５を備え、フィルム体７の凸状部７２は、透光性を有している、という構成でもよい。
【００８４】
斯かる構成によれば、凸状部７２に孔が存在することで、変化手段１５は、空気に接触するため、色及び形状の少なくとも一方を変化する。そして、凸状部７２が透光性を有しているため、凸状部７２の外側から変化手段１５の変化を視認することができる。これにより、凸状部７２を押す触覚だけでなく、変化手段１５を見る視覚でも、凸状部７２の孔の有無を容易に把握することができる。その結果として、第三者がフィルム体７に対して意図的な改竄を行ったか否かを容易に把握することができる。
【００８５】
色が変化する変化手段１５として、空気中の酸素、水分、二酸化炭素等と反応することで色が変化する通常公知の材料を採用することができる。空気中の酸素と反応することで色が変化する材料として、例えば、酸化還元指示薬（例えば、メチレンブルー、バリアミンブルーＢ、ジフェニルアミン、フェロイン）が挙げられる。
【００８６】
また、空気中の水分と反応することで色が変化する材料として、例えば、塩化コバルトを含浸させた青色シリカゲルが挙げられる。また、空気中の二酸化炭素と反応することで色が変化する材料として、例えば、ＰＨ指示薬（例えば、メタクレゾールパープル）が挙げられる。
【００８７】
なお、変化手段１５に、空気中の酸素や二酸化炭素で変化する材料を採用した構成においては、封止体６とフィルム体７との間に存在している気体は、酸素以外の気体、例えば、窒素とすることができる。また、変化手段１５に、空気中の酸素で変化する材料を採用した構成においては、フィルム体７は、酸素吸収層（例えば、ポリオレフィンに鉄系酸素吸収材が含まれた層）を有してもよい。また、変化手段１５に、空気中の水分と変化する材料を採用した構成においては、封止体６とフィルム体７との間に存在している気体は、乾燥された気体（例えば、湿度１０％以下の気体）とすることができる。
【００８８】
（８）また、容器１及び注出具１１においては、例えば、図１７に示すように、フィルム体７の凸状部７２は、透光性を有し、封止体６は、凸状部７２と対面する領域の少なくとも一部に、凸状部７２と異なる色の異色領域６４を備える、という構成でもよい。
【００８９】
図１７に係る封止体６は、凸状部７２と対面する領域に、凸状部７２と異なる色の第１領域（異色領域）６４と、第１領域６４の色と異なる色の第２領域６５とを備えている。そして、フィルム体７の色は、例えば黄色とし、図１７〜図１９において右上がり斜線のハッチングで図示しており、封止体６の第１領域６４の色は、例えば青色とし、図１７〜図１９において左上がり斜線のハッチングで図示しており、封止体６の第２領域６５の色は、例えば無色（白色）とし、図１７においてハッチングをしていない。
【００９０】
斯かる構成によれば、凸状部７２に孔が存在しない場合には、図１８に示すように、凸状部７２の色（黄色）が視認される。一方、凸状部７２に孔が存在している場合には、フィルム体７と封止体６との間に存在している気体が、該孔から抜けるため、凸状部７２は、封止体６に近づいたり、接したりする。
【００９１】
これにより、凸状部７２の色（黄色）と異色領域６４の色（青色）とが混合した色（緑色であって、図１９において網掛けのハッチングで図示している）が、視認できる。したがって、凸状部７２を押すことによる触覚だけでなく、色の変化による視覚でも、凸状部７２の孔の有無を容易に把握することができる。その結果として、第三者がフィルム体７に対して意図的な改竄を行った虞があるか否かを容易に把握することができる。
【００９２】
なお、図１７〜図１９に係る容器１及び注出具１１においては、第２領域６５は、凸状部７２の色と異なる色の領域（異色領域）である構成に限られず、凸状部７２の色と同じ色の領域（同色領域）である構成でもよい。
【００９３】
また、図１７〜図１９に係る容器１及び注出具１１においては、凸状部７２と対面する領域は、二つの色の領域からなる、という構成に限られず、例えば、一つの色の領域（例えば、異色領域６４）からなる、という構成でもよく、また、三つ以上の色の領域からなる、という構成でもよい。なお、凸状部７２と対面する領域が複数の色の領域からなる構成においては、例えば、第１領域６４が情報（文字、記号等）を有することで、凸状部７２に孔が存在している場合に、該情報が視認される。
【００９４】
（９）また、容器１及び注出具１１は、例えば、フィルム体７の外側を覆うように、開口部３１に装着される蓋体を備えている、という構成でもよい。斯かる構成においては、例えば、注出部３は、外周に雄螺子を備えており、雄螺子は、蓋体の内周に設けられる雌螺子と螺合する、という構成でもよい。
【００９５】
（１０）また、上記実施形態に係る封緘材１２においては、シート固定部１３ａ，１４ａの内縁１３ｂ，１４ｂの大きさは、開口端面３１ａの内縁３１ｂの大きさよりも大きい、という構成である。しかしながら、封緘材１２は、斯かる構成に限られない。例えば、図２０に示すように、シート固定部１３ａ，１４ａの内縁１３ｂ，１４ｂ（図２０においては、第１フィルム１３の各構成１３ａ〜１３ｃは図示していない）の大きさは、開口端面３１ａの内縁３１ｂの大きさと同じ、という構成でもよい。
【００９６】
（１１）また、上記実施形態に係る封緘材１２においては、環状のシート固定部１３ａ，１４ａは、第１及び第２フィルム１３，１４同士が環状に熱溶着されることで、形成されている、という構成である。しかしながら、封緘材１２は、斯かる構成に限られない。
【００９７】
例えば、図２１に示すように、環状のシート固定部１３ａ，１４ａは、フィルム材が折り返された折り返し部１３ｄ，１４ｄと、第１及び第２フィルム１３，１４同士が熱溶着された溶着部１３ｅ，１４ｅ（図２１においては、第１フィルム１３の各構成１３ａ〜１３ｅは図示していない）とで、構成される、という構成でもよい。また、例えば、シート固定部１３ａ，１４ａの少なくとも一部は、第１及び第２フィルム１３，１４同士が例えば接着剤や超音波により接着された接着部で、構成される、という構成でもよい。
【００９８】
（１２）また、上記実施形態に係る封緘材１２においては、シート固定部１３ａ，１４ａ及び気体収容部１３ｃ，１４ｃは、複数備えられている、という構成である。しかしながら、封緘材１２は、斯かる構成に限られない。例えば、シート固定部１３ａ，１４ａ及び気体収容部１３ｃ，１４ｃは、一つのみ備えられている、という構成でもよい。
【００９９】
（１３）また、上記実施形態に係る容器１（注出具１１）の製造方法においては、第１及び第２フィルム１３，１４間に気体が存在している封緘材１２が、開口部３１に固定される、という方法である。しかしながら、容器１（注出具１１）製造方法は、斯かる方法に限られない。
【０１００】
例えば、図２２に示すように、第１フィルム１３と第２フィルム１４との間に、気体供給装置２１から気体（例えば、空気）が供給され、その状態で、図２３に示すように、シール装置２０により、第１フィルム１３が開口部３１に固定され、第２フィルム１４が第１フィルム１３に固定される、という方法でもよい。例えば、気体供給装置２１は、送風する装置でもよく、また、圧縮気体を噴出させる装置でもよい。
【０１０１】
また、例えば、図２４に示すように、第１及び第２フィルム１３，１４が互いに離れるように、第２フィルム１４が保持手段２２により保持され、その状態で、図２５に示すように、シール装置２０により、第１フィルム１３が開口部３１に固定され、第２フィルム１４が第１フィルム１３に固定される、という方法でもよい。なお、第１フィルム１３が保持手段２２により保持されてもよく、第１及び第２フィルム１３，１４の両方が保持手段２２により保持されてもよい。
【０１０２】
（１４）また、上記実施形態に係る容器１（注出具１１）の製造方法においては、第１フィルム１３が開口部３１に固定されることと同時に、第２フィルム１４が第１フィルム１３に固定される、という方法である。しかしながら、容器１（注出具１１）製造方法は、斯かる構成に限られない。例えば、第１フィルム１３が開口部３１に固定され、その後、第２フィルム１４が開口部３１及び第１フィルム１３の少なくとも一方に固定される、という方法でもよい。
【０１０３】
（１５）また、上記実施形態に係る容器１（注出具１１）の製造方法においては、第１フィルム１３が、熱溶着により、開口部３１に固定される、という方法である。しかしながら、容器１（注出具１１）製造方法は、斯かる構成に限られない。例えば、第１フィルム１３が、例えば接着剤や超音波による接着により、開口部３１に固定される、という方法でもよい。
【符号の説明】
【０１０４】
１…容器、２…容器本体、２ａ…収容部、３…注出部、４…封止構造、４ａ…封緘体、５…栓体、６…封止体、７…フィルム体、１０…内容物、１１…注出具、１１ａ…注出本体部、１１ｂ…ベース部、１１ｃ…フランジ部、１２…封緘材、１３…第１フィルム、１３ａ…シート固定部、１３ｂ…内縁、１３ｃ…気体収容部、１３ｄ…折り返し部、１３ｅ…溶着部、１４…第２フィルム、１４ａ…シート固定部、１４ｂ…内縁、１４ｃ…気体収容部、１４ｄ…折り返し部、１４ｅ…溶着部、１５…変化手段、２０…シール装置、２０ａ…加熱面、２１…気体供給装置、２２…保持手段、３１…開口部、３１ａ…端面（開口端面）、３１ｂ…内縁、３１ｃ…外縁、３２…突起部、５１…外側平面、６１…封止固定部、６１ａ…内縁、６１ｂ…外縁、６２…内側部、６３…突出片、６４…異色領域（第１領域）、６５…第２領域、７１…フィルム固定部、７１ａ…内縁、７１ｂ…外縁、７２…凸状部、７３…突出片
【図１】
2018153416.tif 000003
【図２】
2018153416.tif 000004
【図３】
2018153416.tif 000005
【図４】
2018153416.tif 000006
【図５】
2018153416.tif 000007
【図６】
2018153416.tif 000008
【図７】
2018153416.tif 000009
【図８】
2018153416.tif 000010
【図９】
2018153416.tif 000011
【図１０】
2018153416.tif 000012
【図１１】
2018153416.tif 000013
【図１２】
2018153416.tif 000014
【図１３】
2018153416.tif 000015
【図１４】
2018153416.tif 000016
【図１５】
2018153416.tif 000017
【図１６】
2018153416.tif 000018
【図１７】
2018153416.tif 000019
【図１８】
2018153416.tif 000020
【図１９】
2018153416.tif 000021
【図２０】
2018153416.tif 000022
【図２１】
2018153416.tif 000023
【図２２】
2018153416.tif 000024
【図２３】
2018153416.tif 000025
【図２４】
2018153416.tif 000026
【図２５】
2018153416.tif 000027